(57)【要約】【課題】  被作業機器の作業を効率的に管理することができる作業管理装置を提供する。【解決手段】  管理装置３０は、端末装置２０ａ、２０ｂを介して受信した遊技機１０ａ、１０ｂの遊技機情報を遊技機情報データベース３１ａに記憶する。遊技機１０ａに対応する釘帳５０ａの台番号表示部５２ａには遊技機１０ａの台番号が、作業情報表示部５３ａには遊技機１０ａの遊技機情報が表示（印刷）されている。また、釘帳５０ａには、遊技機１０ａの台番号を記憶しているＩＣタグ６０ａが取り付けられている。釘調整作業者は、釘帳５０ａに表示されている遊技機１０ａの遊技機情報に基づいて遊技機１０ａに対する釘調整作業を行った後、ＩＣタグ６０ａを読取装置７０ａの通信可能範囲内に配置する。読取装置７０ａは、通信可能範囲内に配置されたＩＣタグ６０ａに記憶されている遊技機１０ａの台番号を読み取り、端末装置２０ａを介して管理装置３０に送信する。管理装置３０は、読取装置７０ａから送信された台番号に基づいて、遊技機情報データベース３１ａに釘調整作業情報を記憶する。【選択図】    図１
2005131141.tif 000002
【特許請求の範囲】
【請求項１】
機器識別情報表示手段と、管理手段と、読取手段を備え、
機器識別情報表示手段は、作業の対象となる被作業機器の機器識別情報を表示するとともに、当該被作業機器の機器識別情報を記憶する記憶手段が設けられており、
読取手段は、記憶手段が通信可能範囲内に存在する時に、当該記憶手段に記憶されている機器識別情報を読み取り可能であり、読み取った機器識別情報を送信し、
管理手段は、読取手段から送信された機器識別情報を記憶する、
作業管理装置。
【請求項２】
機器識別情報表示手段と、管理手段と、読取手段を備え、
機器識別情報表示手段は、作業の対象となる被作業機器の機器識別情報を表示するとともに、作業終了情報を記憶する記憶手段が設けられており、
読取手段は、被作業機器の機器識別情報を記憶しているとともに、記憶手段が通信可能範囲内に存在する時に、当該記憶手段に記憶されている作業終了情報を読み取り可能であり、作業終了情報を読み取ると、記憶している機器識別情報を送信し、
管理手段は、読取手段から送信された機器識別情報を記憶する、
作業管理装置。
【請求項３】
機器識別情報表示手段と、管理手段と、端末手段と、読取手段を備え、
機器識別情報表示手段は、作業の対象となる被作業機器の機器識別情報を表示するとともに、作業終了情報を記憶する記憶手段が設けられており、
読取手段は、記憶手段が通信可能範囲内に存在する時に、当該記憶手段に記憶されている作業終了情報を読み取り可能であり、作業終了情報を読み取ると、作業終了情報を読み取ったことを示す読取情報を送信し、
端末手段は、被作業機器の機器識別情報を記憶しており、読取手段から読取情報が送信されると、記憶している機器識別情報を送信し、
管理手段は、端末手段から送信された機器識別情報を記憶する、
作業管理装置。
【請求項４】
請求項１〜３のいずれかに記載の作業管理装置であって、
機器識別情報表示手段は、表示情報を変更可能な可変表示部と、可変表示部に表示する情報を制御する表示制御手段を有し、
表示制御手段は、記憶手段に記憶されている情報を可変表示部に表示する、
作業管理装置。
【請求項５】
請求項１〜４のいずれかに記載の作業管理装置であって、
機器識別情報表示手段は、表示情報が書き換え可能な電子表示部を備えている、
作業管理装置。
【請求項６】
被作業機器に対する作業を行う作業具に設けられた記憶手段と、被作業機器の作業位置に設けられた読取手段と、管理手段を備え、
記憶手段には、作業終了情報が記憶されており、
読取手段は、被作業機器の機器識別情報を記憶しているとともに、記憶手段が通信可能範囲内に存在する時に、当該記憶手段に記憶されている作業終了情報を読み取り可能であり、作業終了情報を読み取ると、記憶している機器識別情報を送信し、
管理手段は、読取手段から送信された機器識別情報を記憶する、
作業管理装置。
【請求項７】
請求項６に記載の作業管理装置であって、
読取手段は、被作業機器の複数の作業位置に設けられており、
管理手段は、同一の被作業機器に設けられている複数の読取手段のいずれかから機器識別情報が送信された場合に、機器識別情報を記憶する、
作業管理装置。
【請求項８】
請求項６に記載の作業管理装置であって、
読取手段は、被作業機器の複数の作業位置に設けられており、
管理手段は、読取手段から送信された機器識別情報を、当該機器識別情報を送信した読取手段に対応させて記憶する、
作業管理装置。
【請求項９】
作業の対象となる被作業機器の作業位置に設けられた記憶手段と、被作業機器に対する作業を行う作業具に設けられた読取手段とを備え、
記憶手段には、当該記憶手段が設けられている被作業機器の機器識別情報が記憶されており、
読取手段は、記憶手段が通信可能範囲内に存在する時に、当該記憶手段に記憶されている機器識別情報を読み取り可能であり、機器識別情報を読み取ると、読み取った機器識別情報を記憶する、
作業管理装置。
【請求項１０】
請求項９に記載の作業管理装置であって、記憶手段は、被作業機器の複数の作業位置に設けられている、作業管理装置。
【請求項１１】
請求項９に記載の作業管理装置であって、
記憶手段は、被作業機器の複数の作業位置に設けられており、
読取手段は、機器識別情報を、当該機器識別情報を読み取った記憶手段に対応させて記憶する、
作業管理装置。
【発明の詳細な説明】
【技術分野】
【０００１】
本発明は、被作業機器の作業を管理する作業管理装置に関する。
【背景技術】
【０００２】
遊技機等の機器では、定期的あるいは任意の時期に調整作業や保守点検作業等の種々の作業が行われる。例えば、遊技玉を使用する遊技機では、営業時間外に、釘調整作業が行われる。
図６に、遊技玉を使用する遊技機１１０の１例を示す。図６に示す遊技機１１０は、始動ゲート１１１と１１２、始動口１１３、大入賞口１１４、液晶表示装置１１５等が遊技盤に設けられている。また、遊技盤には、遊技玉を誘導する釘が設けられている。
この遊技機１１０は、以下のように動作する。
遊技玉が始動ゲート１１１あるいは１１２を通過すると、普通図柄の抽選が行われ、普通図柄の抽選結果が液晶表示装置１１５に表示される。普通図柄の抽選結果が当たりとなると、始動口１１３に設けられている開閉部材が所定時間開放され、遊技玉が始動口１１３に入賞し易くなる。なお、始動口１１３に設けられている開閉部材が閉じている状態でも、遊技玉は始動口１１３に入賞することはできる。
遊技玉が始動口１１４に入賞すると、特別図柄の抽選が行われ、抽選結果が液晶表示装置１１５に表示される。特別図柄の抽選結果が当たりとなると、特別入賞口１１４の開閉部材が所定時間あるいは所定回数開放され、遊技者に有利な特別遊技状態となる。なお、遊技玉が入賞口に入賞すると、所定数の遊技玉（賞球ともいう）が遊技者に払い出される。
ところで、各遊技機の収支状態（例えば、アウト玉数とセーフ玉数の割合）は、日によって変動する。このため、各遊技機の遊技機情報の履歴に基づいて各遊技機の収支状態を判別し、各遊技機の収支状態が所定状態となるように調整する必要がある。図６に示す遊技機の収支状態は、遊技玉が始動ゲート１１１あるいは１１２を通過する回数や始動口１１３に入賞する回数と抽選結果の当たり確率とによって定まる。
ここで、遊技機の抽選結果の当たり確率は変更することができないため、遊技玉が始動ゲート１１１あるいは１１２を通過する回数や始動口１１３に入賞する回数を調整することによって、遊技機の収支状態が調整される。遊技玉が始動ゲート１１１あるいは１１２を通過する回数や始動口１１３に入賞する回数を調整する方法としては、通常、遊技玉を始動ゲート１１１あるいは１１２や始動口１１３に誘導する釘を調整する方法が用いられている。
釘を調整する作業具としては、例えば、図６に示すようなハンマ１３０が用いられる。
【０００３】
従来、釘調整作業を行う釘調整作業者（釘師ともいう）は、遊技機の台番号と、当該遊技機の過去所定期間分（例えば、１週間分）の遊技機情報が印刷された釘帳を見ながら当該遊技機の釘調整作業を行っている。釘帳に印刷される遊技機情報としては、台番号が印刷されている遊技機のアウト玉数、セーフ玉数や当たり回数等が用いられる。ここで、アウト玉数は、遊技機に投入された遊技玉のうち、入賞口に入賞しなかった遊技玉の数である。セーフ玉数は、遊技機に投入された遊技玉のうち、入賞口に入賞した遊技玉の数である。大当たり回数は、遊技玉の始動口への入賞に起因して行われる抽選の結果が当たりであった回数である。
各遊技機の遊技機情報以外に、遊技店に設けられている全遊技機の遊技機情報の平均値や機種毎の遊技機情報の平均値等を釘帳に印刷する場合もある。
【０００４】
なお、釘調整作業の効率を向上させるために、このような遊技機情報が印刷された釘帳に代えて、記憶手段と表示手段を有する携帯表示装置が提案されている。（特許文献１参照）
この携帯表示装置は、遊技店に設けられている管理装置から送信される各遊技機の遊技機情報等を受信して記憶手段に記憶する。釘調整作業者は、入力キーの操作等によって、記憶手段に記憶されている遊技機情報の中から所定の遊技機情報（例えば、釘調整作業を行う遊技機の遊技機情報）を読み出して表示手段に表示させる。そして、釘調整作業者は、携帯表示装置の表示手段に表示されている遊技機情報を見ながら各遊技機の釘調整作業を行う。
この携帯表示装置を用いることにより、遊技機情報等を印刷する必要がないため、遊技機の釘調整作業の効率が向上する。
【特許文献１】特開平５−２４５２６６号公報
【発明の開示】
【発明が解決しようとする課題】
【０００５】
従来、遊技店では、釘調整作業の管理（例えば、釘調整作業が行われた遊技機と釘調整作業が行われていない遊技機の判別）は、釘調整作業者が行っている。例えば、釘調整作業者は、遊技機に対する釘調整作業が終了すると、釘帳に印刷されている、釘調整作業が終了した遊技機の台番号にチェック印を記入している。
しかしながら、このような釘調整作業の管理方法では、釘調整作業者が釘帳へのチェック印の記入を忘れる可能性がある。また、釘調整作業が行われた遊技機や釘調整作業が行われなかった遊技機を判別する場合には、釘調整作業者がチェック印を記入した釘帳を集める必要がある。
このため、釘調整作業の管理が効率的に行われているとはいえなかった。
なお、前記した携帯表示装置を用いた場合、釘調整作業の効率を向上させることはできるが、釘調整作業の管理効率を向上させるのは困難である。
そこで、本発明が解決しようとする課題は、被作業機器の作業を効率的に管理することができる作業管理装置を提供することである。
【課題を解決するための手段】
【０００６】
前記課題を解決するための本発明の第１発明は、請求項１に記載されたとおりの作業管理装置である。
請求項１に記載の作業管理装置は、作業の対象となる被作業機器の機器識別情報を表示する機器識別情報表示手段と、機器識別情報表示手段に取り付けられ、当該機器識別情報表示手段に表示される機器識別情報を記憶する記憶手段と、通信範囲内に存在する記憶手段から機器識別情報を読み取って送信する読取手段と、読取手段から送信された機器識別情報を記憶する管理手段を備えている。
機器識別情報表示手段は、機器識別情報を表示することができればよく、表示情報を印刷等によって固定表示する表示手段、表示情報を可変表示部（例えば、液晶表示部）によって可変表示する表示手段、表示情報を電子表示部（例えば、電子ペーパー）によって書き換え表示する表示手段、表示情報を固定表示、可変表示及び書き換え表示を任意に組み合わせて表示する表示手段等を用いることができる。なお、機器識別情報表示手段には、被作業機器に対する作業内容に関連する作業情報も表示するのが好ましい。この場合、作業情報として、作業内容を表示してもよいし、作業者が作業内容を判別するための関連情報を表示してもよい。
機器識別情報表示手段に表示する機器識別情報と、記憶手段に記憶する機器識別情報は、同一の被作業機器を示していればよく、必ずしも同一である必要はない。
記憶手段としては、種々の構成の記憶手段を用いることができるが、記憶部と送受信部を有するＩＣタグを用いるのが好ましい。さらに、読取手段としても、種々の構成の読取手段を用いることができるが、記憶手段に設けられている送受信部と通信可能な送受信部を有する読取手段を用いるのが好ましい。
読取手段で読み取った機器識別情報は、管理手段に直接に送信してもよいし、端末手段等の他の手段を介して送信してもよい。
また、本発明の第２発明は、請求項２に記載されたとおりの作業管理装置である。
請求項２に記載の作業管理装置は、作業の対象となる被作業機器の機器識別情報を表示する機器識別情報表示手段と、機器識別情報表示手段に取り付けられ、作業終了情報を記憶する記憶手段と、通信範囲内に存在する記憶手段から作業終了情報を読み取ると、予め記憶している機器識別情報を送信する読取手段と、読取手段から送信された機器識別情報を記憶する管理手段を備えている。
機器識別情報表示手段は、表示情報を固定表示する表示手段、可変表示する表示手段、書き換え表示する表示手段、固定表示、可変表示及び書き換え表示を任意に組み合わせた表示手段等を用いることができる。なお、機器識別情報表示手段には、被作業機器に対する作業内容に関連する作業情報も表示するのが好ましい。
作業終了情報としては、各被作業機器に共通の情報（例えば、フラグ情報）を用いることもできるし、各被作業機器に固有の情報（例えば、機器識別情報）を用いることもできる。
機器識別情報表示手段に表示する機器識別情報と、記憶手段に記憶する機器識別情報は、同一の被作業機器を示していればよく、必ずしも同一である必要はない。
記憶手段及び読取手段としては、互いに通信が可能な送受信部を有する記憶手段及び読取手段を用いるのが好ましい。
読取手段で読み取った機器識別情報は、管理手段に直接に送信してもよいし、端末手段等の他の手段を介して送信してもよい。
また、本発明の第３発明は、請求項３に記載されたとおりの作業管理装置である。
請求項３に記載の作業管理装置は、作業の対象となる被作業機器の機器識別情報を表示する機器識別情報表示手段と、機器識別情報表示手段に取り付けられ、作業終了情報を記憶する記憶手段と、通信範囲内に存在する記憶手段から作業終了情報を読み取ると、作業終了情報を読み取ったことを示す読取情報を送信する読取手段と、読取手段から読取情報が送信されると、予め記憶している機器識別情報を送信する端末手段と、端末手段から送信された機器識別情報を記憶する管理手段を備えている。
作業終了情報としては、各被作業機器に共通の情報（例えば、フラグ情報）を用いることもできるし、各被作業機器に固有の情報（例えば、機器識別情報）を用いることもできる。
読取情報としては、読取手段で読み取った作業終了情報を用いることもできるし、他の種々の情報を用いることもできる。
機器識別情報表示手段は、表示情報を固定表示する表示手段、可変表示する表示手段、書き換え表示する表示手段、固定表示、可変表示及び書き換え表示を任意に組み合わせた表示手段等を用いることができる。なお、機器識別情報表示手段には、被作業機器に対する作業内容に関連する作業情報も表示するのが好ましい。
作業終了情報としては、被作業機器に共通の情報を用いてもよいし、各被作業機器に固有の情報を用いてもよい。
記憶手段及び読取手段としては、互いに通信が可能な送受信部を有する記憶手段及び読取手段を用いるのが好ましい。
また、本発明の第４発明は、請求項４に記載されたとおりの作業管理装置である。
請求項４に記載の作業管理装置では、機器識別情報表示手段は、表示情報を変更可能な可変表示部と、表示制御手段を有し、表示制御手段は、記憶手段に記憶されている情報を可変表示部に表示する。可変表示部としては、例えば、液晶表示部等が用いられる。
また、本発明の第５発明は、請求項５に記載されたとおりの作業管理装置である。
請求項５に記載の作業管理装置では、機器識別情報表示手段は、表示情報が書き換え可能な電子表示部を備えている。電子表示部としては、例えば、電子ペーパーが用いられる。可変表示部には、変更される頻度が高い情報を表示し、電子表示部には、変更される頻度が、可変表示部に表示される情報より少ない情報を表示するのが好ましい。
また、本発明の第６発明は、請求項６に記載されたとおりの作業管理装置である。
請求項６に記載の作業管理装置は、被作業機器に対する作業を行う作業具に設けられ、作業終了情報を記憶する記憶手段と、被作業機器の作業位置に設けられ、記憶手段から作業終了情報を読み取ると、予め記憶している機器識別情報を送信する読取手段と、読取手段から送信された機器識別情報を記憶する管理手段を備えている。
作業終了情報としては、各被作業機器に共通の情報（例えば、フラグ情報）を用いることもできるし、各被作業機器に固有の情報（例えば、機器識別情報）を用いることもできる。
記憶手段及び読取手段としては、互いに通信が可能な送受信部を有する記憶手段及び読取手段を用いるのが好ましい。
また、本発明の第７発明は、請求項７に記載されたとおりの作業管理装置である。
請求項７に記載の作業管理装置では、被作業機器の複数の作業位置に読取手段が設けられており、管理手段は、同一の被作業機器に設けられている複数の読取手段のいずれかから機器識別情報が送信された場合に機器識別情報を記憶する。
同一の機器識別情報がいずれかの読取手段から最初に送信された場合に機器識別情報を記憶することは、同一の被作業機器に設けられている複数の読取手段のいずれかから機器識別情報が送信された場合に機器識別情報を記憶することと同義である。
また、本発明の第８発明は、請求項８に記載されたとおりの作業管理装置である。
請求項８に記載の作業管理装置では、被作業機器の複数の作業位置に読取手段が設けられており、管理手段は、読取手段から送信された機器識別情報を読取手段に対応させて記憶する。
機器識別情報を読取手段に対応させて記憶する方法としては、読取手段から送信された機器識別情報を個々に読取手段に対応させて記憶する方法や、読取手段からの機器識別情報の送信回数を読取手段に対応させて記憶する方法を用いることができる。
機器識別情報を送信した読取手段を判別する方法としては、例えば、読取手段から、読み取った機器識別情報とともに、当該読取手段の配設位置を示す位置識別情報（当該読取手段を示す読取手段識別情報を含む）を送信する方法を用いる。
また、本発明の第９発明は、請求項９に記載されたとおりの作業管理装置である。
請求項９に記載の作業管理装置は、作業の対象となる被作業機器の作業位置に設けられ、当該被作業機器の機器識別情報を記憶する記憶手段と、被作業機器に対する作業を行う作業具に取り付けられ、記憶手段から機器識別情報を読み取って記憶する読取手段を備えている。
記憶手段及び読取手段としては、互いに通信が可能な送受信部を有する記憶手段及び読取手段を用いるのが好ましい。
また、本発明の第１０発明は、請求項１０に記載されたとおりの作業管理装置である。
請求項１０に記載の作業管理装置では、被作業機器の複数の作業位置に記憶手段が取り付けられている。
読取手段は、読み取った機器識別情報を順次記憶してもよいし、同一の機器識別情報を最初に読み取った時に機器識別情報を記憶してもよい。
また、本発明の第１１発明は、請求項１１に記載されたとおりの作業管理装置である。
請求項１１に記載の作業管理装置では、被作業機器の複数の作業位置に記憶手段が取り付けられており、読取手段は、読み取った機器識別情報を記憶手段に対応させて記憶する。
機器識別情報を記憶手段に対応させて記憶する方法としては、読み取った機器識別情報を個々に記憶手段に対応させて記憶する方法や、読み取った機器識別情報の読取回数を記憶手段に対応させて記憶する方法等を用いることができる。
機器識別情報を記憶している記憶手段を判別する方法としては、例えば、記憶手段に、機器識別情報とともに、当該記憶手段の配設位置を示す位置識別情報（当該記憶手段を示す記憶手段識別情報を含む）を記憶させ、読取手段によって機器情報とともに位置識別情報を読み取る方法を用いる。
【発明の効果】
【０００７】
請求項１に記載の作業管理装置を用いれば、機器識別情報が表示されている機器識別情報表示手段に設けられている記憶手段を読取手段の通信可能範囲内に配置するだけでよいため、作業終了後の作業者の作業が簡単である。また、読取手段で読み取った機器識別情報が管理手段に自動的に記憶されるため、被作業機器に対する作業を効率的に管理する（例えば、作業が終了した被作業機器と作業が終了していない被作業機器の判別）ことができる。
また、請求項２及び請求項３に記載の作業管理装置を用いれば、機器識別情報が表示されている機器識別情報表示手段に設けられている記憶手段を読取手段の通信可能範囲内に配置するだけでよいため、作業終了後の作業者の作業が簡単である。また、作業終了情報を読み取った読取手段に対応する被作業機器の機器識別情報あるいは読取手段から作業終了情報を受信した端末手段に対応する被作業機器の機器識別情報が管理手段に自動的に記憶されるため、被作業機器に対する作業を効率的に管理することができる。さらに、作業終了情報として被作業機器に共通の情報を用いる場合には、共通の情報を記憶した記憶手段を用いることができるため、安価であり、記憶手段に作業終了情報を記憶させる作業も容易である。
また、請求項４に記載の作業管理装置を用いれば、機器識別情報表示手段の可変表示部に表示する機器識別情報を記憶手段に記憶させればよいため、共通の機器識別情報表示手段を各被制御機器の機器識別情報を表示する機器識別情報表示手段として用いることができる。また、繰り返し使用することができる。この場合、通信可能範囲内に存在する記憶手段に情報を書き込み可能な書込手段を用いることにより、記憶手段への機器識別情報の書き込みを容易に行うことができる。さらに、記憶手段として、複数の機器識別情報を記憶可能であり、操作スイッチ等によって選択された機器識別情報が、表示手段に表示されるとともに、読取手段によって読み取り可能である記憶手段を用いることにより、１台の機器識別情報表示手段によって複数の機器識別情報を表示することができる。
また、請求項５に記載の作業管理装置を用いれば、変更される頻度が低い情報を電子表示部に表示することができるため、変更される頻度が低い情報を記憶手段に記憶させる作業や印刷等のための作業を軽減することができる。
また、請求項６に記載の作業管理装置を用いれば、作業者が作業具を用いて被作業機器に対する作業を行うことにより、作業が行われた被作業機器の機器識別情報が管理手段に自働的に記憶される。このため、作業者は特別の作業を行う必要がなく、また、被作業機器に対する作業を効率的に管理することができる。
また、請求項７に記載の作業管理装置を用いれば、被作業機器の複数の作業位置のいずれかで作業が行われたことによって、機器識別情報が管理手段に記憶されるため、作業が行われた被作業機器の機器識別情報を確実に管理手段に記憶することができる。この場合、記憶手段に記憶されている機器識別情報の読取手段による読取可能範囲を狭くすることができるため、誤動作を防止することができる。
また、請求項８に記載の作業管理装置を用いれば、被作業機器の各作業位置における作業回数を判別することができる。これにより、作業が行われた被作業機器の作業内容も管理することができる。
また、請求項９に記載の作業管理装置を用いれば、作業者が作業具を用いて被作業機器に対する作業を行うことにより、作業が行われた被作業機器の機器識別情報が作業具に設けられている読取手段に自動的に記憶される。このため、作業者は特別の作業を行う必要がなく、また、被作業機器に対する作業を効率的に管理することができる。この場合、読取手段は、記憶手段から機器識別情報を読み取った時に、読み取った機器識別情報を無線回線等を介して管理手段に送信してもよいし、一括して管理手段に送信あるいは入力してもよい。
また、請求項１０に記載の作業管理装置を用いれば、記憶手段が被作業機器の複数の作業位置に設けられているため、いずれかの作業位置で作業が行われたことによって、機器識別情報が読取手段に記憶される。これにより、作業が行われた被作業機器の機器識別情報を確実に読取手段に記憶することができる。また、記憶手段に記憶されている機器識別情報の読取手段による読取可能範囲を狭くすることができるため、誤動作を防止することができる。なお、読取手段で読み取った機器識別情報の記憶方法としては、種々の方法を用いることができる。
また、請求項１１に記載の作業管理装置を用いれば、被作業機器の各作業位置における作業回数を判別することができる。これにより、作業が行われた被作業機器の作業内容も管理することができる。
【発明を実施するための最良の形態】
【０００８】
以下に、本発明の実施の形態を図面を参照して説明する。
まず、本発明の第１の実施の形態を説明する。図１に、第１の実施の形態の概略構成図を示す。本実施の形態は、本発明を、パチンコ機等の遊技機に対する釘調整作業を管理する遊技機作業管理装置として構成したものである。
本実施の形態では、釘帳（機器識別情報表示手段）にＩＣタグを取り付け、ＩＣタグに記憶されている台番号（機器識別情報）を遊技機側に設けられている読取手段で読み取る。
遊技店には、通常、遊技機１０ａ、１０ｂ、端末装置２０ａ、２０ｂ、管理装置３０等が設けられている。端末装置２０ａ、２０ｃと管理装置３０は、ＬＡＮやインターネット等の通信回線４０を介して接続されている。
端末装置２０ａ、２０ｃは、遊技機１０ａ、１０ｂに対応して設けられており、対応する遊技機１０ａ、１０ｂの遊技機情報（例えば、アウト玉数、セーフ玉数、大当たり回数等）を管理装置３０に送信する。図１では、１台の遊技機に対して１台の端末装置を設けているが、複数台の遊技機に対して１台の端末装置を設けてもよい。
管理装置３０は、端末装置２０ａ、２０ｂから送信された遊技機１０ａ、１０ｂの遊技機情報を記憶装置３１の遊技機情報データベース３１ａに記憶する。また、管理装置３０には、種々の情報を入力する入力手段（図示省略）、各遊技機の遊技機情報や遊技機情報から算出した情報（以下、これらを含めて「遊技機情報」という）等の種々の情報を表示する表示装置３２、各遊技機に対する釘調整作業を行うための作業情報が印刷された釘帳等を出力する印刷装置３３等が接続されている。なお、入力手段、記憶装置３１、表示装置３２、印刷装置３３等は、管理装置３０と接続可能であれば、その配設位置は適宜設定可能である。
【０００９】
本実施の形態では、釘調整作業を行う遊技機を識別する機器識別情報と、当該遊技機の釘調整作業を行うために必要な作業情報が印刷される釘帳に、当該遊技機の機器識別情報を記憶しているＩＣタグ（ＲＦＩＤ（Radio  Frequency  Identification）あるいはＩＣラベルともいう）が取り付けられている。
図１には、遊技機１０ａの釘調整作業を行うための釘帳５０ａが示されている。釘帳５０ａの固定表示部５１ａは、遊技機１０ａの機器識別情報としての台番号（遊技店内における遊技機１０ａの配設位置を示す）が表示（印刷）される台番号表示部（機器識別情報表示部）５２ａと、遊技機１０ａの釘調整作業を行うために必要な遊技機１０ａの遊技機情報（作業情報）が表示（印刷）される遊技機情報表示部（作業情報表示部）５３ａを有している。また、釘帳５０ａに取り付けられているＩＣタグ６０ａは、ＩＣタグ用アンテナ６１ａと、遊技機１０ａの台番号を記憶している記憶部や送受信部等を有するＩＣチップ６２ａにより構成されている。
さらに、遊技機側には、各釘帳に取り付けられている各ＩＣタグに記憶されている台番号（機器識別情報）を読み取り可能な読取装置が設けられている。
図１では、ＩＣタグ６０ａに記憶されている台番号を読み取り可能な読取装置７０ａが、遊技機１０ａに対応して設けられている。読取装置７０ａは、読取装置用アンテナ７１ａを介して釘帳５０ａに設けられているＩＣタグ６０ａと無線通信を行い、ＩＣタグ６０ａに記憶されている台番号を読み取る。そして、読み取った台番号を、遊技機１０ａに対応する端末装置２０ａに送信する。端末装置２０ａは、読取装置７０ａで読み取った台番号を管理装置３０に送信する。
図１では、１台の遊技機に対して１台の読取装置を設けているが、複数台の遊技機に対して１台の読取装置を設けてもよい。
【００１０】
ＩＣタグ及び読取装置としては、種々の構造のものが知られている。
ＩＣタグ６０ａと読取装置７０ａの１例の構成を図２に示す。
ＩＣタグ６０ａは、コイル状のＩＣタグ用アンテナ６１ａとＩＣチップ６２ａを有している。
ＩＣチップ６２ａには、ＩＣタグ６０ａの動作を制御する処理回路（ＣＰＵ）、動作プログラム等を記憶するＲＯＭ６４ａ、書込装置から書き込まれた遊技機の台番号等の変化する情報を記憶するＲＡＭ６５ａ、ＩＣタグ用アンテナ６１ａに接続されている送受信回路６６ａ等が設けられている。なお、ＩＣチップ６２ａには、ＩＣタグ用アンテナ６１ａで受信した電波を整流してＩＣチップ６２ａの動作用電力を供給する電源回路（図示省略）が設けられている。
読取装置７０ａは、読取装置７０ａの動作を制御する処理回路（ＣＰＵ）７３ａ、動作プログラム等を記憶するＲＯＭ７４ａ、ＩＣタグ６０ａから読み取った台番号等の情報を記憶するＲＡＭ７５ａ、読取装置用アンテナ７１ａに接続されている送受信回路７６ａを有している。
送受信回路６６ａと７６ａは、ＩＣタグ用アンテナ６１ａと読取装置用アンテナ７１ａを介して情報の送受信を行う。
なお、誤動作を防止するため、通信可能範囲ができるだけ狭い（例えば、数ｃｍ程度）ＩＣタグと読取装置を用いるのが好ましい。
【００１１】
本実施の形態では、遊技機１０ａ、１０ｂが本発明の被作業機器に対応し、端末装置２０ａ、２０ｂが本発明の端末手段に対応し、管理装置３０が本発明の管理手段に対応し、釘帳５０ａが本発明の機器識別情報表示手段に対応し、台番号表示部５２ａに表示される台番号５２ａが本発明の機器識別情報に対応し、作業情報表示部５３ａに表示される作業情報が本発明の作業情報に対応し、ＩＣタグ６０ａが本発明の機器識別情報を記憶する記憶手段に対応し、ＲＯＭ６４ａあるいはＲＡＭ６５ａが本発明の記憶部に対応し、読取装置７０ａが本発明の読取手段に対応する。
【００１２】
記憶装置３１の遊技機情報データベース３１ａには、各遊技機の過去所定期間分（例えば、１週間分あるいは１か月分）の遊技機情報が、各遊技機の機器識別情報である台番号に対応させて記憶されている。
遊技機情報データベースの１例を図３に示す。
図３に示す遊技機情報データベースには、遊技機情報として、アウト玉数、セーフ玉数、大当たり回数、釘調整作業が行われたか否かを示す釘調整作業管理情報等が記憶されている。例えば、台番号［００１］の遊技機１０ａは、２００３年９月１５日のアウト玉数が［４８６９０］個、セーフ玉数が［６０９００］個、大当たり回数が［１６］回であり、２２００３年９月１５日に釘調整作業が行われたことが記憶されている。
なお、遊技機情報データベースには、各遊技機の機種名や機種識別番号等を記憶させることもできる。また、遊技機情報から算出した情報（例えば、後述する、図４に示す［アウト玉数−セーフ玉数］や［ベース］等）を遊技機情報として記憶させることもできる。
【００１３】
［第１の実施の形態］
次に、本実施の形態の動作を説明する。
遊技店の営業時間が終了すると、遊技機の台番号（機器識別情報）及び当該遊技機の遊技機情報（作業情報）が表示（印刷）され、当該遊技機の台番号（機器識別情報）を記憶しているＩＣタグが取り付けられた釘帳を、遊技機毎に作成する。
釘帳に表示する台番号及び遊技機識別情報は、記憶装置３１の遊技機情報データベース３１ａに基づいて、印刷装置３３により釘帳に印刷される。
このような台番号を記憶しているＩＣタグが取り付けられ、台番号と遊技機情報が印刷された釘帳は、種々の方法を用いて作成することができる。例えば、台番号を記憶しているＩＣタグを取り付けた各釘帳に、各ＩＣタグに記憶されている台番号と、当該台番号の遊技機の遊技機情報を印刷する方法を用いる。あるいは、ＩＣタグを取り付けた各釘帳に各遊技機の台番号と遊技機情報を印刷するとともに、書込装置により、各釘帳に取り付けたＩＣタグに、各釘帳に表示した台番号を記憶させる方法を用いる。あるいは、各釘帳に各遊技機の台番号と遊技機情報を印刷した後、各遊技機の台番号を記憶しているＩＣタグを各釘帳に取り付ける方法を用いる。あるいは、各釘帳に各遊技機の台番号と遊技機情報を印刷した後、各釘帳にＩＣタグを取り付け、書込装置により、各釘帳に取り付けたＩＣタグに、各釘帳に表示した台番号を記憶させる方法を用いる。ＩＣタグを釘帳に取り付ける方法としては、ＩＣタグを釘帳と一体に形成する方法や、釘帳にＩＣタグを接着剤や接着テープ等によって接着する方法等を用いることができる。
【００１４】
台番号が［００１］である遊技機１０ａに対する釘調整作業を行うための釘帳５０ａの１例を図４に示す。
図４に示す釘帳５０ａは、台番号表示部５２ａに台番号[００１]が表示（印刷）され、作業情報表示部５３ａに台番号[００１]の遊技機の過去所定期間分（例えば、１週間分）の遊技機情報が作業情報として表示（印刷）されている。遊技機情報としては、各営業日毎のアウト玉数、セーフ玉数、大当たり回数、[セーフ玉数−アウト玉数]、ベース、釘調整作業管理情報等が用いられる。ベースは、アウト玉数１００個当たりのセーフ玉数を示したものであり、[（セーフ玉数／アウト玉数）×１００]により算出される。釘調整作業管理情報としては、釘調整作業が行われた時には[１]が表示され、釘調整作業が行われなかった時には[０]が表示される。
また、釘帳５０ａに取り付けられているＩＣタグ６０ａには、台番号表示部５２ａに表示されている台番号[００１]が記憶されている。
なお、釘帳の作業表示部には、図４に示した遊技機情報以外の種々の遊技機情報を表示することができる。例えば、遊技店に設けられている全遊技機あるいは同一機種の全遊技機の遊技機情報の平均値等を表示することもできる。
【００１５】
釘調整作業者は、釘帳を携帯して各遊技機の釘調整作業を行う。例えば、台番号[００１]の釘帳５０ａの作業情報表示部５３ａに表示されている遊技機情報（作業情報）に基づいて、台番号[００１]の遊技機に対する釘調整作業を行う必要があるか否かを判断する。釘調整作業を行う必要があると判断した場合には、釘調整作業を行う箇所や、釘調整の程度等を判断し、判断結果に基づいて釘調整作業を行う。
例えば、図６に示した遊技機１１０の場合、主に、遊技玉を始動ゲート１１１あるいは１１２に誘導する釘や、遊技球を始動口１１３に誘導する釘を調整する。釘の調整は、ハンマ１３０等の作業具を用いて行われる。
【００１６】
いま、釘調整作業者が、台番号[００１]の遊技機の釘帳５０ａの作業情報表示部５３ａに表示されている遊技機情報から、台番号[００１]の遊技機に対する釘調整作業が必要であると判断し、台番号[００１]の遊技機に対する釘調整作業を行ったものとする。
釘調整作業者は、台番号[００１]の遊技機に対する釘調整作業が終了すると、釘帳５０ａに取り付けられているＩＣタグ６０ａを、読取装置７０ａ（正確には、読取装置用アンテナ７１ａ）との通信が可能な範囲内に配置する。
読取装置７０ａに接続されている読取装置用アンテナ７１ａからは所定時間間隔で質問信号が送信されているため、ＩＣタグ６０ａが読取装置７０ａと通信が可能な範囲内に配置されると、ＩＣタグ用アンテナ６１ａを介して質問信号が受信される。ＩＣタグ６０ａの処理回路６３ａは、ＩＣタグ用アンテナ６１ａを介して質問信号を受信すると、ＲＡＭ６５ａあるいはＲＯＭ６４ａに記憶されている台番号[００１]を、送受信回路６６ａ、ＩＣタグ用アンテナ６１ａを介して送信する。
読取装置７０ａは、ＩＣタグ６０ａから送信された台番号［００１］を読取装置用アンテナ７１ａを介して受信すると、受信した台番号[００１]を、対応する端末装置２０ａに送信する。
端末装置２０ａは、読取装置７０ａから送信された台番号[００１]を受信すると、受信した台番号[００１]を管理装置３０に送信する。
管理装置３０は、端末装置２０ａから送信された台番号[００１]を受信すると、記憶装置３１の遊技機情報データベース３１ａの台番号[００１]に対応する釘調整作業管理情報として、釘調整作業を行ったことを示す[１]を記憶する。
以下、同様にして、釘調整作業者は、各遊技機に対応する（各遊技機の台番号が表示されている）釘帳の作業情報表示部に表示されている遊技機情報に基づいて、各遊技機に対する釘調整作業を行う。
このように、遊技機情報データベース３１ａの各遊技機に対応する釘調整作業管理情報として[１]あるいは[０]が記憶されることによって、各遊技機の釘調整作業を効率的に管理することができる。
【００１７】
各遊技機の釘調整作業状態を確認する場合には、表示装置３２や印刷装置３３から釘調整履歴情報を出力させる。
釘調整履歴情報の１例を図５に示す。図５に示す釘調整履歴情報には、日付、各遊技機の台番号、各遊技機の釘調整作業管理情報が表示されている。この釘調整履歴情報に基づいて、各遊技機の釘調整作業状態を判別することができる。例えば、所定日に、どの遊技機に対して釘調整作業を行い、どの遊技機に対して釘調整作業を行っていないかを判別することができる。
【００１８】
［第２の実施の形態］
第１の実施の形態では、読取装置７０ａ、７０ｂは、読み取った台番号（機器識別情報）を端末装置２０ａ、２０ｂに送信したが、読取装置７０ａ、７０ｂが誤動作する可能性がある。例えば、何らかに原因で、遊技機１０ｂに対応する釘帳５０ｂに取り付けられているＩＣタグ６０ｂが遊技機１０ｂに対応する読取装置７０ａの通信可能範囲内に配置され、読取装置７０ａが、ＩＣタグ６０ｂに記憶されている台番号［００２］を読み取る可能性がある。このような場合には、台番号［００２］の遊技機１０ｂに対する釘調整作業を行っていないにも拘らず、遊技機情報データベース３１ａの台番号［００２］に対応する釘調整作業管理情報として［１］が記憶されることになる。
次に、このような誤動作を防止した第２の実施の形態を説明する。
第２の実施の形態は、読取装置７０ａ、７０ｂの動作が異なる以外は、図１に示した第１の実施の形態と同様の構成を有している。
本実施の形態では、読取装置を遊技機に対応させて設ける（例えば、読取装置を、対応する遊技機の横に配置する）とともに、読取装置に、対応する遊技機の台番号を記憶させる。そして、読取装置は、読み取った台番号と記憶している台番号が一致する場合に、読み取った台番号を端末装置２０ａに送信する。
例えば、読取装置７０ａを遊技機１０ａに対応させて設け、読取装置７０ａに、対応する遊技機１０ａの台番号[００１]を記憶させておく。読取装置７０ａは、通信可能範囲内にＩＣタグが配置されると、そのＩＣタグに記憶されている台番号を読み取る。そして、読み取った台番号と記憶している台番号［００１］が一致する場合にのみ、台番号［００１］を端末装置２０ａに送信する。
なお、複数台の遊技機に対して１台の読取装置を設ける場合には、読取装置に、対応する複数台の遊技機の台番号を記憶させておく。
このように、本実施の形態では、読取装置は、記憶している台番号と一致する台番号を読み取った場合にのみ、読み取った台番号を端末装置に送信するため、前述したような誤動作を防止することができる。
【００１９】
［第３の実施の形態］
第２の実施の形態では、読取装置に台番号を記憶させたが、端末装置に台番号を記憶させることによっても誤動作を防止することができる。
第３の実施の形態は、端末装置２０ａ、２０ｂの動作が異なる以外は、図１に示した第１の実施の形態と同様の構成を有している。
本実施の形態では、端末装置を遊技機及び読取装置に対応させて設ける（例えば、端末装置を、対応する遊技機及び読取装置に接続する）とともに、端末装置に、対応する遊技機の台番号を記憶させる。そして、端末装置は、読取装置から送信された台番号と記憶している台番号が一致する場合に、読取装置から送信された台番号を管理装置３０に送信する。
例えば、端末装置２０ａを遊技機１０ａに対応させて設け、端末装置２０ａに、対応する遊技機１０ａの台番号［００１］を記憶させておく。読取装置７０ａは、通信可能範囲内にＩＣタグが配置されると、そのＩＣタグに記憶されている台番号を読み取り、端末装置２０ａに送信する。端末装置２０ａは、読取装置７０ａから送信された台番号と記憶している台番号［００１］が一致する場合にのみ、読取装置７０ａから送信された台番号を管理装置３０に送信する。
なお、複数台の遊技機に対して１台の端末装置を設ける場合には、端末装置に、対応する複数台の遊技機の台番号を記憶させておく。
本実施の形態では、端末装置は、記憶している台番号と一致する台番号を、対応する読取装置が読み取った場合にのみ、読取装置が読み取った台番号を管理装置に送信するため、前述したような誤動作を防止することができる。
【００２０】
［第４の実施の形態］
第１〜第３の実施の形態では、各遊技機に対応する釘帳（機器識別情報表示手段）に取り付けたＩＣタグに台番号（機器識別情報）を記憶させたが、各ＩＣタグには台番号（機器識別情報）以外の情報を記憶させることもできる。
各遊技機に対応する釘帳（機器識別情報表示手段）に取り付けたＩＣタグに作業終了情報を記憶させた、本発明の第４の実施の形態を以下に説明する。
第４の実施の形態は、釘帳５０ａ、５０ｂに取り付けたＩＣタグ６０ａ、６０ｂに作業終了情報を記憶させていることと、読取装置７０ａ、７０ｂの動作が異なること以外は、図１に示した第１の実施の形態と同様の構成を有している。
本実施の形態では、各遊技機に対応する釘帳に取り付けられているＩＣタグに作業終了情報を記憶させている。また、読取装置を遊技機に対応させて設け、読取装置に、対応する遊技機の台番号を記憶させておく。そして、読取装置は、ＩＣタグから作業終了情報を読み取ると、記憶している台番号を端末装置に送信する。
例えば、読取装置７０ａを遊技機１０ａに対応させて設け、読取装置７０ａに、対応する遊技機１０ａの台番号[００１]を記憶させておく。作業終了情報としては、各遊技機に共通の作業終了情報（例えば、フラグ情報等）が用いられる。
【００２１】
本実施の形態の動作を説明する。以下では、遊技機１０ａに対する釘調整作業を行う場合について説明する。
第１の実施の形態と同様に、釘調整作業者は、遊技機１０ａに対応する釘帳５０ａの作業情報表示部５３ａに表示されている遊技機１０ａの遊技機情報に基づいて、遊技機１０ａに対する釘調整作業を行う。
そして、釘調整作業者は、遊技機１０ａに対する釘調整作業が終了すると、釘帳５０ａに取り付けられているＩＣタグ６０ａを読取装置７０ａの通信可能範囲内に配置する。
読取装置７０ａは、ＩＣタグ６０ａが通信可能範囲内に配置されると、通信ＩＣタグ６０ａに記憶されている作業終了情報を読み取る。そして、読取装置７０ａは、作業終了情報を読み取ると、記憶している、対応する遊技機１０ａの台番号[００１]を端末装置２０ａに送信する。
これにより、第１の実施の形態と同様に、遊技機情報データベース３１ａの台番号［００１］に対応する釘調整作業管理情報として［１］が記憶される。
本実施の形態では、釘帳（機器識別情報表示手段）に取り付けられているＩＣタグに共通の作業終了情報を記憶させればよいため、釘帳に表示される台番号が異なっても、ＩＣタグに記憶されている作業終了情報を書き替える必要がない。これにより、ＩＣタグに情報を記憶させるための作業が簡単となる。
【００２２】
［第５の実施の形態］
第４の実施の形態では、読取装置に、対応する遊技機の台番号（機器識別情報）を記憶させたが、端末装置に、対応する遊技機の台番号（機器識別情報）を記憶させることもできる。
各遊技機に対応する釘帳（機器識別情報表示手段）に取り付けたＩＣタグに作業終了情報を記憶させた、本発明の第５の実施の形態を以下に説明する。
第５の実施の形態は、釘帳５０ａ、５０ｂに取り付けたＩＣタグ６０ａ、６０ｂに作業終了情報を記憶させていることと、読取装置７０ａ、７０ｂ及び端末装置２０ａ、２０ｂの動作が異なること以外は、図１に示した第１の実施の形態と同様の構成を有している。
本実施の形態では、各遊技機に対応する釘帳に取り付けられているＩＣタグに作業終了情報を記憶させている。また、読取装置と端末装置を遊技機に対応させて設け、端末装置に、対応する遊技機の台番号を記憶させておく。例えば、読取装置７０ａと端末装置２０ａを遊技機１０ａに対応させて設け、端末装置２０ａに、対応する遊技機１０ａの台番号[００１]を記憶させておく。
読取装置は、作業終了情報を読み取ると、作業終了情報を読み取ったことを示す読取情報を端末装置に送信する。
端末装置は、読取装置から送信された読取情報を受信すると、記憶している台番号を管理装置に送信する。
作業終了情報としては、各遊技機に共通の作業終了情報が用いられる。読取情報としては、読取装置がＩＣタグから読み取った作業終了情報を用いることもできるし、作業終了情報以外の種々の情報を用いることもできる。
【００２３】
本実施の形態の動作を説明する。以下では、遊技機１０ａに対する釘調整作業を行う場合について説明する。
第４の実施の形態と同様に、釘調整作業者は、遊技機１０ａに対する釘調整作業が終了すると、釘帳５０ａに取り付けられているＩＣタグ６０ａを読取装置７０ａの通信可能範囲内に配置する。
読取装置７０ａは、作業終了情報を読み取ると、作業終了情報を読み取ったことを示す情報を端末装置２０ａに送信する。例えば、読み取った作業終了情報を送信する、あるいは、読取装置７０ａを示す読取装置識別情報を送信する。
端末装置２０ａは、読取装置７０ａから送信された、作業終了情報を読み取ったことを示す読取情報（例えば、読取装置７０ａで読み取った作業終了情報あるいは作業終了情報を読み取った読取装置７０ａの読取装置識別情報あるいは所定情報等）を受信すると、記憶している、対応する遊技機１０ａの台番号[００１]を管理装置３０に送信する。
なお、複数台の読取装置に対して１台の端末装置を設け、１台の遊技機に対して１台の読取装置を設けている場合には、端末装置に、各読取装置の読取装置識別情報に対応させて、各読取装置に対応する遊技機の台番号を記憶させておく。この場合、端末装置は、作業終了情報を読み取った読取装置から、読取情報として送信された読取装置識別情報を受信すると、受信した読取装置識別情報に対応する台番号を管理装置３０に送信する。
本実施の形態においても、釘帳（機器識別情報表示手段）に取り付けられているＩＣタグに共通の作業終了情報を記憶させればよいため、ＩＣタグに情報を記憶させるための作業が簡単である。
【００２４】
［第６の実施の形態］
第１〜第５の実施の形態では、釘調整作業者が、釘調整作業を終了した後、台番号（機器識別情報）あるいは作業終了情報を記憶しているＩＣタグを読取装置の通信可能範囲内に配置することによって、釘調整作業管理情報を自動的に記憶させている。第１〜第５の実施の形態は、従来に比べれば釘調整作業者の負担は軽減されているが、ＩＣタグを読取装置の通信可能範囲内に配置する操作を行う必要があるため、煩わしさが残っている。
以下に、釘調整作業者（作業者）が釘調整作業（作業）を行うことによって釘調整作業管理情報を自動的に記憶させることができる第６の実施の形態を説明する。
本実施の形態では、釘調整作業を行う作業具に、作業終了情報を記憶しているＩＣタグを取り付けている。
例えば、図６に示す、釘調整作業を行うために使用されるハンマ１３０の先端部にＩＣタグ１４０を取り付けている。ＩＣタグ１４０は、例えば、接着剤や接着テープ等を用いてハンマ１３０に取り付ける。
また、各遊技機の釘調整作業が行われる位置（釘調整作業が行われる可能性が高い位置）に読取装置を設けている。
例えば、図６に示す遊技機１１０の場合、釘調整作業時には、主に、遊技玉を始動ゲート１１１や１１２に誘導する釘や、始動口１１３に誘導する釘の調整が行われる。そこで、図６に示すように、始動ゲート１１１付近に、通信可能範囲１２１ａを有する読取装置１２１を設ける。また、始動ゲート１１２付近に、通信可能範囲１２２ａを有する読取装置１２２を設ける。また、始動口１１３付近に、通信可能範囲１２３ａを有する読取装置１２３を設ける。ここで、読取装置１２１、１２２、１２３が設けられた位置を、それぞれ釘調整作業位置（１）、釘調整作業位置（２）、釘調整作業位置（３）と呼ぶ。読取装置１２１〜１２３は、例えば、遊技盤の裏側等の、ハンマ１４０に取り付けられたＩＣタグ１４０と通信が可能となるように設けられる。
読取装置１２１〜１２３は、遊技機１１０の台番号[００１]を記憶している。また、読取装置１２１〜１２３は、各読取装置１２１〜１２３が配設されている位置（釘調整作業位置）を示す位置識別情報［０１］、［０２］、［０３］を記憶している。さらに、読取装置１２１〜１２３は、遊技機１１０に対応する端末装置に接続されている。
【００２５】
次に、本実施の形態の動作を説明する。以下では、図６に示す遊技機１１０に対する釘調整作業を行う場合について説明する。本実施の形態では、釘調整作業管理情報（作業管理情報）として、釘調整作業位置毎の釘調整作業回数（作業位置毎の作業回数）を記憶している。
前述したように、釘調整作業者は、遊技機１１０に対応する釘帳の作業表示部に表示されている遊技機情報に基づいて、遊技機１１０に対する釘調整作業を行う。
ここで、釘調整作業者が、ハンマ１３０を用いて始動ゲート１１１付近、すなわち、釘調整作業位置（１）に設けられている釘の調整を行う時、ハンマ１３０に取り付けられているＩＣタグ１４０が、釘調整作業位置（１）に設けられている読取装置１２１の通信可能範囲１２１ａ内に配置される。読取装置１２１は、ＩＣタグ１４０が通信可能範囲１２１ａ内に配置されると、ＩＣタグ１４０に記憶されている作業終了情報を読み取る。そして、読取装置１２１は、作業終了情報を読み取ると、記憶している台番号[００１]と位置識別情報[０１]を、対応する端末装置（図示省略）に送信する。
端末装置は、読取装置１２１から台番号[００１]と位置識別情報[０１]を受信すると、受信した台番号[００１]と位置識別情報[０１]を管理装置３０に送信する。
管理装置３０は、端末装置から台番号[００１]と位置識別情報[０１]を受信すると、遊技機情報データベースの台番号[００１]の釘調整作業位置（１）に対応する釘調整作業管理情報に「１」を加算する。これにより、台番号［００１］の釘調整作業位置（１）に設けられている釘がハンマ１３０によって調整された回数、すなわち、釘調整作業回数が記憶される。
同様に、読取装置１２２あるいは１２３は、作業終了情報を読み取ると、台番号[００１]と位置識別情報[０２]あるいは[０３]を対応する端末装置に送信する。
端末装置は、読取装置１２２あるいは１２３から受信した台番号[００１]と位置識別情報[０２]あるいは[０３]を管理装置３０に送信する。
管理装置３０は、端末装置から受信した台番号[００１]と位置識別情報[０２]あるいは[０３]を受信すると、遊技機情報データベースの台番号[００１]の釘調整作業位置（２）あるいは（３）に対応する釘調整作業管理情報に「１」を加算する。これにより、台番号［００１］の釘調整作業位置（２）あるいは（３）に設けられている釘の調整作業回数が記憶される。
【００２６】
各遊技機の釘調整作業位置毎の釘調整回数を記憶する遊技機情報データベースの１例を図７に示す。図７に示す遊技機情報データベースでは、例えば、台番号［００１］の遊技機１１０は、２００３年９月１５日のアウト玉数が［４８６９０］個であり、セーフ玉数が［６０９０００］個であり、大当たり回数が［１６］回であり、釘調整作業位置（１）〜（３）に設けられている釘の調整回数がそれぞれ［ａ１］回、［ａ２］回、［ａ３］回であったことが記憶されている。
釘調整作業を修了した後、釘調整作業の状態を判別するには、入力装置から釘調整履歴情報出力要求信号を入力する。これにより、管理装置３０は、遊技機情報データベースに記憶されている遊技機情報に基づいて、表示装置３２あるいは印刷装置３３から釘調整履歴情報を出力させる。この場合の釘調整履歴情報の１例を図８に示す。図８に示す釘調整履歴情報には、日付、台番号、各台番号遊技機の各釘調整作業位置における釘調整回数が表示される。例えば、２００３年９月１５日に、台番号［００１］の遊技機に対して、釘調整作業位置（１）、（２）、（３）に設けられている釘がそれぞれ［ａ１］回、［ａ２］回、［ａ３］回調整されたこと、また、台番号［００２］の遊技機に対して、釘調整作業位置（１）、（２）、（３）に設けられている釘がそれぞれ［ｂ１］回、［ｂ２］回、［ｂ３］回調整されたことが表示されている。
【００２７】
本実施の形態では、釘調整作業者が釘調整作業を行うことによって、釘調整作業管理情報が自動的に記憶されるため、釘調製作業者は、釘調整作業管理のための特別の作業を行う必要がない。このため、釘調整作業の管理精度を高めることができる。
また、釘調整作業管理情報に基づいて、釘調整作業を行った遊技機と、釘調整作業を行っていない遊技機を判別することができる。
さらに、釘調整作業を行った遊技機の各釘調整作業位置での釘調整回数から、遊技機に対する釘調整作業の内容を判別することができる。
【００２８】
以上の説明では、読取装置１２１〜１２３に、読取装置１２１〜１２３が設けられている釘調整作業位置を識別する位置識別情報[０１]〜[０３]を記憶させたが、読取装置１２１〜１２３が設けられている釘調整作業位置を識別する情報としては位置識別情報以外の情報を用いることができる。
例えば、読取装置１２１〜１２３に、読取装置１２１〜１２３を識別する読取装置識別情報を記憶させてもよい。ここで、読取装置識別情報に対応する読取装置と釘調整作業位置との対応関係が分かっていれば、読取装置識別情報によって、当該読取装置識別情報で示される読取装置の配設位置を判別することができる。このため、読取装置識別情報は、読取装置が設けられている釘調整作業位置を識別する位置識別情報の概念に含まれる。
【００２９】
［第７の実施の形態］
第６の実施の形態では、遊技機１１０の各釘調整作業位置（１）〜（３）に設けた読取装置１２１〜１２３に、遊技機１１０の台番号[００１]と位置識別情報[０１]〜[０３]を記憶させたが、各釘調整作業位置（１）〜（３）に設けた読取装置１２１〜１２３に、遊技機１１０の台番号［００１］のみを記憶させることもできる。
釘調整作業具（作業具）に作業終了情報を記憶したＩＣタグを取り付け、遊技機（被作業機器）の各釘調整作業位置（各作業位置）に設けた読取装置に、当該遊技機の台番号を記憶させた第７の実施の形態を以下に説明する。
第７の実施の形態では、遊技機（被作業機器）の各釘調整作業位置（各作業位置）に設けた読取装置のいずれかが作業終了情報を読み取ったことにより、当該遊技機（当該被作業機器）に対する釘調整作業管理情報（作業管理情報）を記憶する。
すなわち、読取装置１２１〜１２３は、作業終了情報を読み取ると、記憶している台番号［００１］を、対応する端末装置に送信する。
端末装置は、同一の遊技機に設けられている読取装置のいずれかから当該遊技機の台番号が送信された場合に、当該遊技機の台番号を管理装置３０に送信する。例えば、台番号［００１］の遊技機１１０の各釘調整作業位置（１）〜（３）に設けられている読取装置１２１〜１２３から最初に台番号［００１］が送信された場合に、台番号［００１］を管理装置３０に送信する。
管理装置３０は、端末装置から送信された台番号[００１]を受信すると、遊技機情報データベースの台番号[００１]に対応する釘調整作業管理情報に、釘調整作業を行ったことを示す[１]を記憶する（図３参照）。
【００３０】
第７の実施の形態では、同一の遊技機に設けられている複数の読取装置のいずれかから当該遊技機の台番号が送信された場合に、当該遊技機で釘調整作業が行われたことを判別している。
これにより、作業が行われたことを確実に片別することができる。また、各読取装置とＩＣタグの通信可能範囲を狭くすることができるため、誤動作を防止することができる。
【００３１】
なお、第７の実施の形態では、端末装置が、遊技機１１０に設けられている読取装置１２１〜１２３のいずれかから遊技機１１０の台番号［００１］が送信されたことを判別したが、管理装置３０が判別するように構成することもできる。
この場合には、端末装置は、遊技機１１０に設けられている読取装置１２１〜１２３から送信された台番号［００１］を受信すると、受信した台番号［００１］を管理装置３０に送信する。そして、管理装置３０は、端末装置から台番号［００１］を最初に受信した時に、遊技機情報データベースの台番号[００１]に対応する釘調整作業管理情報に、釘調整作業を行ったことを示す[１]を記憶する。
また、第７の実施の形態では、読取装置１２１〜１２３のいずれかから台番号が送信された場合に釘調整作業管理情報を記憶させたが、読取装置１２１〜１２３から台番号が送信された総回数が設定回数以上となった時に釘調整作業管理情報を記憶させるように構成してもよい。この場合、釘調整作業が行われた遊技機の台番号確実に管理することができる。
また、第６及び第７の実施の形態において、各釘調整作業位置（１）〜（３）に設けられている読取装置１２１〜１２３からの台番号［００１］の総送信回数、すなわち、ハンマ１３０によって遊技機１１０に設けられている釘の調整作業が行われた総釘調整作業回数を釘調整作業管理情報として記憶させることもできる。この場合、総釘調整作業回数に基づいて、遊技機の釘調整作業の内容を判別することができる。
また、第６及び第７の実施の形態では、遊技機の複数の釘調整作業位置に読取装置を設けたが、遊技機の１箇所の釘調整作業位置に読取装置を設けてもよい。
【００３２】
［第８の実施の形態］
第６及び第７の実施の形態では、釘調整作業具（ハンマ）にＩＣタグを取りつけ、遊技機の釘調整作業位置に読取装置を設けたが、遊技機の釘調整作業位置にＩＣタグを取り付け、釘調整作業具に読取装置を設けることもできる。
遊技機側（被作業機器側）にＩＣタグを取りつけ、釘調整作業具（作業具）に読取装置を設けた第８の実施の形態を以下に説明する。
本実施の形態は、図６に示す遊技機１１０の各釘調整作業位置（１）〜（３）にＩＣタグ１２１〜１２３を取り付け、ハンマ１３０に読取装置１４０を設けている。ＩＣタグ１２１〜１２３には、遊技機１１０の台番号[００１]と、ＩＣタグ１２１〜１２３が取り付けられている釘調整作業位置を識別する位置識別情報［０１］〜［０３］を記憶させる。
【００３３】
本実施の形態の動作を以下に説明する。本実施の形態では、ハンマ１３０に設けられた読取装置１４０は、ＩＣタグ１２１〜１２３に記憶されている台番号［００１］と位置識別情報［０１］〜［０３］を読み取ると、読み取った台番号［００１］と位置識別情報［０１］〜［０３］を記憶する。
釘調整作業者が、ハンマ１３０を用いて遊技機１１０の釘調整作業位置（１）〜（３）に設けられている釘の調整作業を行う時、釘調整作業位置（１）〜（３）に取り付けられているＩＣタグ１２１〜１２３が、ハンマ１３０に設けられている読取装置１４０の通信可能範囲内に配置される。
ハンマ１３０に設けられている読取装置１４０は、通信可能範囲内に配置されたＩＣタグ１２１〜１２３に記憶されている台番号と位置識別情報を読み取って記憶する。例えば、ハンマ１３０によって釘調整作業位置（１）に設けられている釘の調整作業を行う時、読取装置１４０は、釘調整作業位置（１）に取り付けられているＩＣタグ１２１に記憶されている台番号［００１］と位置識別情報［０１］を読み取って記憶する。以後、同様に、読み取った台番号と位置識別情報を順次記憶する。
そして、釘調整作業が終了した後、読取装置１４０に記憶されている台番号と位置識別情報の組み合わせ管理装置３０に送信する。読取装置１４０に記憶されている台番号と位置識別情報の組み合わせを管理装置３０に送信する方法としては、種々の方法を用いることができる。例えば、無線の送受信回路を介して送信する方法や、管理装置４０に接続されているデータ入力装置に読取装置１４０を接続する方法等を用いることができる。
管理装置３０は、読取装置３０から送信された台番号と位置識別情報の組み合わせに基づいて、遊技機情報データベース３１ａの台番号の位置識別情報で示される釘調整作業位置に対応する釘調整作業管理情報に「１」を加算する。すなわち、釘調整作業位置毎の釘調整作業回数を記憶する。（図７参照）
これにより、釘調整作業を行った遊技機と、釘調整作業を行っていない遊技機を判別するができる。また、釘調整作業を行った遊技機の各釘調整作業位置での釘調整回数から、遊技機に対する釘調整作業の内容を判別することができる。
【００３４】
以上の説明では、ＩＣタグ１２１〜１２３に、ＩＣタグ１２１〜１２３が取り付けられている釘調整作業位置を識別する位置識別情報[０１]〜[０３]を記憶させたが、ＩＣタグ１２１〜１２３が取り付けられている釘調整作業位置を識別する情報としては位置識別情報以外の情報を用いることができる。
例えば、ＩＣタグ１２１〜１２３に、ＩＣタグ１２１〜１２３を識別するＩＣタグ識別情報を記憶させてもよい。ここで、ＩＣタグ識別情報に対応するＩＣタグと釘調整作業位置との対応関係が分かっていれば、ＩＣタグ識別情報によって、当該ＩＣタグ識別情報で示されるＩＣタグの配設位置を判別することができる。このため、ＩＣタグ識別情報は、ＩＣタグが取り付けられている釘調整作業位置を識別する位置識別情報の概念に含まれる。
また、釘調整作業が終了した後に、読取装置１４０に記憶されている台番号と位置識別情報の組み合わせを管理装置３０にまとめて送信する方法を用いたが、読取装置１４０が台番号と位置識別情報を読み取る毎に、無線の送受信回路を介して管理装置３０に送信する方法を用いることもできる。
【００３５】
［第９の実施の形態］
第８の実施の形態では、遊技機１１０の各釘調整作業位置（１）〜（３）に設けたＩＣタグ１２１〜１２３に、遊技機１１０の台番号[００１]と位置識別情報[０１]〜[０３]を記憶させたが、各釘調整作業位置（１）〜（３）に設けたＩＣタグ１２１〜１２３に、遊技機１１０の台番号［００１］のみを記憶させることもできる。
釘調整作業具（作業具）に読取装置を設け、遊技機（被作業機器）の各釘調整作業位置（各作業位置）に設けたＩＣタグに、当該遊技機の台番号（機器識別情報）を記憶させた第９の実施の形態を以下に説明する。
第９の実施の形態では、ハンマ（作業具）に設けた読取装置が、遊技機（被作業機器）の各釘調整作業位置（各作業位置）に設けたＩＣタグのいずれかから台番号（機器識別情報）を読み取ったことにより、当該読み取った台番号（機器識別情報）を記憶する。
すなわち、読取装置１４０は、遊技機１１０の釘調整作業位置（１）〜（３）に設けられているＩＣタグ１２１〜１２３のいずれかから台番号［００１］を最初に読み取ると、読み取った台番号［００１］を記憶する。
また、読取装置１４０で読み取った台番号［００１］を、釘調整作業終了後あるいは台番号［００１］を読み取った時に管理装置３０に送信する。
管理装置３０は、読取装置１４０から送信された台番号[００１]を受信すると、遊技機情報データベースの台番号[００１]に対応する釘調整作業管理情報に、釘調整作業を行ったことを示す[１]を記憶する（図３参照）。
【００３６】
第９の実施の形態では、同一の遊技機に設けられている複数のＩＣタグのいずれかから当該遊技機の台番号を読み取った場合に、当該遊技機で釘調整作業が行われたことを判別している。
これにより、各読取装置とＩＣタグの通信可能範囲を狭くすることができるため、誤動作を防止することができる。
【００３７】
なお、第９の実施の形態では、読取装置１４０が、遊技機１１０に設けられているＩＣタグ１２１〜１２３のいずれかから遊技機１１０の台番号［００１］を読み取ったことを判別したが、管理装置３０が判別するように構成することもできる。
この場合には、読取装置１４０は、遊技機１１０に設けられているＩＣタグ１２１〜１２３から台番号［００１］を読み取ると、読み取った台番号［００１］と読み取った時刻を記憶する。そして、読取装置１４０は、読み取った台番号［００１］と読み取った時刻を管理装置３０に送信する。
管理装置３０は、読取装置１４０から受信した台番号［００１］と読み取った時刻に基づいて、読取装置１４０が遊技機１１０に設けられているＩＣタグ１２１〜１２３のいずれかから台番号［００１］を最初に読み取った時刻を判別する。そして、管理装置３０は、遊技機情報データベースの台番号[００１]に対応する釘調整作業管理情報に、釘調整作業を行ったことを示す[１]を記憶する。
また、読取装置１４０が、ＩＣタグ１２１〜１２３のいずれかから台番号を読み取った時に釘調整作業情報を記憶させたが、ＩＣタグ１２１〜１２３からの台番号の総読み取り回数が設定回数以上となった時に釘調整作業管理情報を記憶させるように構成してもよい。
また、第８及び第９の実施の形態において、各釘調整作業位置（１）〜（３）に設けられているＩＣタグ１２１〜１２３から台番号［００１］を読み取った総読取回数、すなわち、ハンマ１３０によって遊技機１１０に設けられている釘の調整作業が行われた総釘調整作業回数を釘調整作業管理情報として記憶させることもできる。この場合、総釘調整作業回数に基づいて、遊技機の釘調整作業の内容を判別することができる。
また、第８及び第９の実施の形態では、遊技機の複数の釘調整作業位置にＩＣタグを取り付けたが、遊技機の１箇所の釘調整作業位置にＩＣタグを取り付けてもよい。
【００３８】
以上の実施の形態では、釘調整作業を行うために、台番号と遊技機情報が印刷されているとともに、ＩＣタグが取り付けられた釘帳を用いている。
ここで、各遊技機の遊技機情報は、各遊技機で遊技が行われる毎に変化する。このため、釘調整作業を行う毎に釘帳に台番号や遊技機情報を印刷する必要があり、面倒であり、作業効率もよくない。
そこで、釘調整作業等の作業効率を高めるために、遊技機（被作業機器）に対する釘調整作業（作業）を行う毎に遊技機情報（作業情報）等の情報を印刷する作業を必要としない釘帳（機器識別情報表示手段）が要望される。
【００３９】
以下に、機器識別情報や作業情報等の変化する可能性がある情報を印刷する作業が不要な機器識別情報表示手段を説明する。
機器識別情報表示手段の他の実施の形態を図９に示す。図９は、遊技機の機器識別情報としての台番号と、当該遊技機の釘調整作業を行うために用いられる作業情報としての遊技機情報が表示される釘帳を示している。
図９に示す釘帳２００には、固定表示部２１１、可変表示部２１２（２１２ａ〜２１２ｐ）、表示制御装置２２０、ＩＣタグ２３０が設けられている。
固定表示部２１１には、変化する可能性が少ない情報、例えば、［台番号］、［日付］、［アウト玉数］、［セーフ玉数］、［大当たり回数］、［ベース］等のタイトル情報や罫線情報等が印刷されている。
可変表示部２１２ａ〜２１２ｐは、液晶表示部等によって構成され、変化する可能性が高い情報、例えば、当該釘帳に表示している情報に係る遊技機の台番号情報、当該遊技機のセーフ玉数情報、アウト玉数情報、大当たり回数情報、ベース情報等が表示される。
ＩＣタグ２３０は、ＩＣタグ用アンテナ２３１とＩＣチップ２３２を有し、図２に示したＩＣタグ６０ａと同様の構成を有している。
表示制御装置２２０は、ＩＣタグ２３０（正確には、図２に示すように、ＩＣチップ２３２に設けられているＲＡＭやＲＯＭ）に記憶されている情報を可変表示部２１２ａ〜２１２ｐに表示する。
【００４０】
次に、図９に示した釘帳２００の動作を説明する。
釘調整作業を行う場合には、前述したように、遊技機情報データベース３１ａに記憶されている各遊技機の遊技機情報（遊技機情報を用いて算出したものも含む）を、釘帳２００に設けられているＩＣタグ２３０に書き込む（記憶させる）。
ＩＣタグ２３０に情報を書き込む方法としては種々の方法を用いることができるが、書込装置２４０を用いるのが好ましい。書込装置２４０は、読取装置７０ａと同様の構成であり、ＩＣタグ２３０と送受信回路を介して通信を行う。書込装置１４０としては、読取装置７０ａと同様、種々の構成のものが知られている。
書込装置２４０を用いてＩＣタグ２３０に情報を書き込む方法としては、種々の方法を用いることができる。例えば、書込装置２４０を管理装置３０に接続し、管理装置３０から、遊技機情報データベース２１ａに記憶されている各遊技機の台番号と遊技機情報を書込装置２４０を介してＩＣタグ２３０に書き込む方法を用いることができる。
また、各遊技機の遊技機情報をＩＣタグ２３０に書き込む場合、１つのＩＣタグ２３０に１台の遊技機の遊技機情報を書き込む方法と、１つのＩＣタグ２３０に複数台の遊技機の遊技機情報を書き込む方法を用いることができる。
１つのＩＣタグ２３０に１台の遊技機の遊技機情報を書き込む場合、すなわち、各遊技機に対して１つの釘帳２００を用いる場合には、書込装置２４０を介して、遊技機の台番号と当該遊技機の遊技機情報をＩＣタグ２３０に書き込む。この場合、釘帳２００に設けられている表示制御装置２２０は、ＩＣタグ２３０に書き込まれた（ＩＣタグ２３０が記憶している）台番号と遊技機情報を可変表示部２１２ａ〜２１２ｐに表示する。
一方、１つのＩＣタグ２３０に複数台の遊技機の遊技機情報を書き込む場合、すなわち、複数台の遊技機に対して１つの釘帳２００を用いる場合には、書込装置２４０を介して、遊技機の台番号と当該遊技機の遊技機情報の組み合わせを複数台の遊技機分だけＩＣタグ２３０に書き込む。この場合、表示制御装置２２０は、釘帳２００に設けられている操作部の操作によって、台番号と遊技機情報の組み合わせを順次読み出して可変表示部２１２ａ〜２１２ｐに表示する。また、ＩＣタグ２３０は、読取装置７０ａから読み出し信号を受信した場合には、操作部の操作によって選択されている台番号を送信する。
【００４１】
釘調整作業者は、ＩＣタグ２３０に遊技機の台番号と当該遊技の遊技機情報が書き込まれた釘帳２００を携帯して釘調整作業を行う。例えば、釘帳２００の可変表示部２１２ａに表示されている台番号［００１］が表示されている場合、可変表示部２１２ｂ〜２１２ｐに表示されている遊技機情報に基づいて、台番号［００１］の遊技機に対する釘調整作業が必要であるか否か、必要である場合には、調整を行う釘と調整の程度を判別する。
また、釘調整作業者は、台番号［００１］の遊技機に対する釘調整作業が終了すると、前述したように、ＩＣタグ２３０を読取装置７０ａの通信可能範囲内に配置する。
読取装置７０ａは、通信可能範囲内に配置されたＩＣタグ２３０に記憶されている台番号を読み取って端末装置に送信する。
ここで、ＩＣタグ２３０に複数台の遊技機の台番号と遊技機情報が書き込まれている場合には、釘調整作業者は、操作部を操作して、釘調整を行う遊技機の台番号を可変表示部２１２ａに表示させる。そして、この時に可変表示部２１２ｂ〜２１２ｐに表示されている遊技機情報に基づいて、当該遊技機に対する釘調整作業を行う。
また、釘調整作業が終了してＩＣタグ２３０が読取装置７０ａの通信可能範囲内に配置されると、読取装置７０ａは、操作部により選択されている台番号をＩＣタグ２３０から読み取る。
以後の動作は、前記した実施の形態と同様である。
【００４２】
以上では、固定表示部２１１と複数の可変表示部２１２ａ〜２１２ｐを有する釘帳２００を用いたが、図１０に示すような、固定表示部３１１と１つの可変表示部３１２を有する釘帳３００を用いることもできる。この釘帳３００では、表示制御装置３２０は、ＩＣタグ３３０に書き込まれている（記憶されている）遊技機の台番号や遊技機情報を可変表示部３１２に表示する。
また、ＩＣタグに遊技機の台番号と遊技機識別情報を書き込み、可変表示部にＩＣタグに書き込まれた台番号と遊技機情報を表示したが、ＩＣタグに書き込む情報や可変表示部に表示する情報は種々変更可能である。
例えば、ＩＣタグに前述した作業終了情報、遊技機の台番号と遊技機識別情報を書き込み、可変表示部に台番号と遊技機情報を表示させることもできる。この場合には、ＩＣタグは、読取装置からの質問信号の受信に応答して作業終了情報を送信するように構成する。
あるいは、ＩＣタグに前述した作業終了情報と所定の遊技機の遊技機識別情報を書き込み、可変表示部に遊技機情報を表示させることもできる。この場合には、可変表示部に表示されている遊技機情報に係る遊技機の台番号を釘帳の固定表示部に印刷するとともに、ＩＣタグは、読取装置からの質問信号の受信に応答して作業終了情報を送信するように構成する。
【００４３】
図９及び図１０に示すような釘帳（機器識別情報表示手段）を用いることにより、可変表示部に表示させる情報をＩＣタグに書き込む処理を行うだけでよく、印刷作業が不要となるため、処理が簡単であり、釘調整作業の効率を向上させることができる。
また、釘帳（機器識別情報表示手段）を各遊技機の釘帳として用いることができるため、コストを軽減することができる。特に、１つの釘帳を複数台の遊技機の釘帳として用いる場合には、よりコストを軽減することができるとともに、持ち運びが容易である。
【００４４】
ところで、釘帳（機器識別情報表示部）に表示する作業情報には、変更される頻繁が高い作業情報と、変更される頻度が低い情報と、変更される可能性が殆どない情報が含まれる場合がある。例えば、各遊技機の毎日の遊技機情報は頻繁に変更され、各遊技機や遊技店に設けられている全遊技機の先月の遊技機情報の平均値は月が変わるまで変更されず、タイトル情報や罫線情報等は変更される可能性が殆どない。
そこで、変更される頻度が高い情報を表示する可変表示部と、変更される頻度が低い情報を表示する電子表示部と、変更される可能性が殆どない情報を表示する固定表示部を設けるのが好ましい。
可変表示部としては、例えば、液晶表示部を用いることができる。固定表示部としては、例えば、印刷領域を用いることができる。
また、電子表示部としては、例えば、電子ペーパーを用いることができる。電子ペーパーは、紙と可変表示部の特性を併せ持った表示部であり、書込手段により表示情報を任意に書き換えることができる。電子ペーパー及び書込手段としては、種々の構成のものが知られている（例えば、特開２０００−１２７４７８号公報）ため、詳しい説明は省略する。釘帳の電子表示部に表示する情報は、例えば、管理装置から書込手段に送信する。
書き換え頻度が低い情報を、このような電子表示部に表示することにより、書き換え頻度が低い情報を記憶手段に記憶させる作業や固定記憶部に印刷する作業等の負担を軽減することができる。
勿論、可変表示部、電子表示部、固定表示部を任意に組み合わせた釘帳を用いることもできる。  
【００４５】
なお、本発明は、以下のように構成することもできる。
例えば、「作業の対象となる被作業機器の機器識別情報を表示するとともに、機器識別情報を記憶する記憶手段と、機器識別情報を記憶しているとともに、記憶手段に記憶されている機器識別情報を読取可能で有り、読み取った機器識別情報と記憶している機器識別情報が一致する場合に、機器識別情報を送信する読取手段と、読取手段から送信された機器識別情報を記憶する管理手段を備える、作業管理装置。」として構成することができる。
あるいは、「作業の対象となる被作業機器の機器識別情報を表示するとともに、機器識別情報を記憶する記憶手段と、記憶手段に記憶されている機器識別情報を読取可能で有り、読み取った機器識別情報を送信する読取手段と、機器識別情報を記憶しており、読取手段から送信された機器識別情報と記憶している機器識別情報が一致する場合に、機器識別情報を送信する端末手段と、端末手段から送信された機器識別情報を記憶する管理手段を備える、作業管理装置。」として構成することができる。
このような作業管理装置を用いることにより、誤動作を防止することができる。
【００４６】
本発明は、実施の形態で説明した構成に限定されることなく、種々の変更、追加、削除が可能である。
例えば、ハンマを用いて遊技機の釘調整作業を行う場合について説明したが、本発明は、ハンマ以外の作業具を用いて釘調整作業を行う場合にも適用することができる。
また、遊技機の釘調整作業を行うための釘帳に表示する作業情報としては種々の遊技機情報や、他の情報を用いることもできる。例えば、釘調整作業の作業内容を表示させることもできる。
また、機器識別情報表示手段に機器識別情報と作業情報を表示したが、機器識別情報表示手段には、少なくとも機器識別情報が表示されていればよい。
また、遊技機の釘調整作業を管理する場合について説明したが、本発明は、釘調整作業以外の種々の遊技機の作業を管理する場合、さらには、遊技機以外の種々の被作業機器に対する種々の作業を管理する場合に適用することができる。
また、釘調整作業を行うハンマにＩＣタグあるいは読取装置を取り付けたが、ＩＣタグあるいは読取装置を取り付ける作業具は、管理する作業の種類に応じて適宜変更される。
また、機器識別情報表示手段に表示する機器識別情報と、機器識別情報表示手段に取り付けられたＩＣタグに記憶させる機器識別情報として同じ機器識別情報を用いたが、同じ被作業機器を示していれば、異なる機器識別情報を用いることもできる。
【図面の簡単な説明】
【００４７】
【図１】本発明の一実施の形態の概略構成図である。
【図２】読取装置とＩＣタグの１例の構成を示す図である。
【図３】遊技機情報データベースの１例を示す図である。
【図４】釘帳（遊技機情報表示手段）の一実施の形態を示す図である。
【図５】釘調整履歴情報の１例を示す図である。
【図６】遊技機の１例の概略構成を示す図である。
【図７】遊技機情報データベースの他の例を示す図である。
【図８】釘調整履歴情報の他の例を示す図である。
【図９】釘帳（遊技機情報表示手段）の他の実施の形態を示す図である。
【図１０】釘帳（遊技機情報表示手段）の他の実施の形態を示す図である。
【符号の説明】
【００４８】
１０ａ、１０ｂ、１１０  遊技機（被作業機器）
２０ａ、２０ｂ  端末装置（端末手段）
３０  管理装置（管理手段）
３１  記憶装置
３１ａ  遊技機情報データベース
３２  表示装置
３３  印刷装置
５０ａ、、５０ｂ、２００、３００  釘帳（機器識別情報表示手段）
５１ａ、２１１、３１１  固定表示部
６０ａ、１４０、２３０、３３０  ＩＣタグ
６１ａ、２３１、３３１  ＩＣタグ用アンテナ
６２ａ、２３２、３３２  ＩＣチップ
７０ａ、７０ｂ、１２１、１２２、１２３  読取装置
７１ａ  読取装置用アンテナ
１１１、１１２  始動ゲート
１１３  始動口
１１４  大入賞口
１１５  液晶表示装置
１３０  ハンマ（作業具）
２１２ａ〜２１２ｍ、３１２  可変表示部
２４０、３４０  書込装置
２４１、３４１  書込装置用アンテナ
【図１】
2005131141.tif 000003
【図２】
2005131141.tif 000004
【図３】
2005131141.tif 000005
【図４】
2005131141.tif 000006
【図５】
2005131141.tif 000007
【図６】
2005131141.tif 000008
【図７】
2005131141.tif 000009
【図８】
2005131141.tif 000010
【図９】
2005131141.tif 000011
【図１０】
2005131141.tif 000012